(57)【要約】【課題】  送風によらず首周りに清涼感を与えることが可能な首掛け型冷温装置を提供する。【解決手段】  首に掛ける首掛け部２と、該首掛け部の両端部に冷温部３を有する首掛け型冷温装置１であって、冷温部にはペルチェ素子３２が内設されており、該ペルチェ素子への直流電流の入力切り替えにより、冷温部の冷却と温熱の切り替えが可能であることを特徴とする。【選択図】図１
0003232773.tif 000002
【実用新案登録請求の範囲】
【請求項１】
首に掛ける首掛け部と、該首掛け部の両端部に冷温部を有する首掛け型冷温装置であって、
前記冷温部にはペルチェ素子が内設されており、該ペルチェ素子への直流電流の入力切り替えにより、前記冷温部の冷却と温熱の切り替えが可能であることを特徴とする首掛け型冷温装置。
【請求項２】
前記冷温部に、空気循環用のファンが設けられていることを特徴とする首掛け型冷温装置。
【請求項３】
前記首掛け部又は冷温部に電源装置が内設されるとともに、操作部が設けられていることを特徴とする請求項１又は２に記載の首掛け型冷温装置。
【考案の詳細な説明】
【技術分野】
【０００１】  本考案は首掛け型冷温装置に関するものである。
【背景技術】
【０００２】  これまでに、夏場に首元を冷却する装置として、首に掛ける首掛け部と、該首掛け部に設けられる送風部とを有する首掛け型ファンが知られている。このような首掛け型ファンとしては、例えば、特許文献１に挙げるようなものがある。【０００３】  特許文献１の首掛け型ファンは、ファンを有する送風部が、首掛け部の先端部に延長して突出するように設けられている。また、首掛け部の先端部と送風部との間には、角度調節部となる角度調節部が設けられており、首掛け部に対して送風部の向きを調節することができる構造となっている。【０００４】  上記首掛け型ファンによれば、所定の清涼感は得られるものの、首掛け型ファンによる風は、通常顎から首元に向けられて送風されるため、当たる風により肌が乾燥したり、髪型が乱れるといった問題があった。また、送風される空気はファンにより強制的に吸気し、排気口から排出されるため、吸気された空気に混ざった塵や埃、毛、服の繊維辺、黴や菌、ウイルス等も排気口から排気されることになり、健康上望ましくない場合があった。
【先行技術文献】
【特許文献】
【０００５】
【特許文献１】実用新案登録第３２２５３１８号
【考案の概要】
【考案が解決しようとする課題】  本考案は、以上のとおりの事情に鑑みてなされたものであり、送風によらず首周りに清涼感と温感を与えることが可能な首掛け型冷温装置を提供することを課題としている。
【課題を解決するための手段】
【０００６】  即ち、本考案の首掛け型冷温装置は以下のことを特徴としている。
第１に、本考案の首掛け型冷温装置は、首に掛ける首掛け部と、該首掛け部の両端部に冷温部を有する首掛け型冷温装置であって、前記冷温部にはペルチェ素子が内設されており、該ペルチェ素子への直流電流の入力切り替えにより、前記冷温部の冷却と温熱の切り替えが可能であることを特徴とする。
第２に、上記第１の考案の本考案の首掛け型冷温装置は、前記冷温部に、空気循環用のファンが設けられていることが好ましい。
第３に、上記第１又は第２の考案の首掛け型冷温装置において、前記首掛け部又は冷温部に電源装置が内設されており、かつ、操作部が設けられていることが好ましい。
【考案の効果】
【０００７】  本考案に係る首掛け型冷温装置によれば、送風によらず首周りに清涼感と温感を与えることが可能な首掛け型冷温装置を提供することができる。
【図面の簡単な説明】
【０００８】
【図１】本考案の首掛け型冷温装置の一実施形態を示す全体斜視図である。
【図２】本考案の首掛け型冷温装置全体の構造を示す分解斜視図である。
【図３】本考案の首掛け型冷温装置の冷温部の構造を示す分解斜視図である。
【考案を実施するための形態】
【０００９】  本考案の実施形態について図面を用いて詳細に説明する。図１は本考案の首掛け型冷温装置の一実施形態を示す概略図であり、図２は、本考案の首掛け型冷温装置全体の構造を示す分解図、図３は、冷温部の構造を示す分解斜視図である。
【００１０】  図１、図２に示す実施形態の首掛け型冷温装置１は、首に掛ける首掛け部２と、該首掛け部２の両端部に冷温部３を有する首掛け型冷温装置である。そして、冷温部３にはペルチェ素子３２が内設されている。
【００１１】  首掛け部２は、首に掛けて周りを覆うように構成された逆Ｕ字状の形状を有している。首掛け部２は、使用者の首に掛けた際に首の後側に配置される後側部２１と、後側部２１の両端部から使用者の首の左右前方に向かって延びる前側部２２とを有している。
【００１２】  冷温部３は、首掛け部２の両前側部２２に設けられている。また、冷温部３は、首掛け部２の前側部２２に一体に形成されていてもよく、角度調節部２３を介して接続されて形成されていてもよい。
【００１３】  冷温部３には、表面に露出するように冷温プレート３１が設けられており、該冷温プレート３１の内側にはペルチェ素子３２が内設されている。冷温プレート３１は使用者の首元に接触する部材であり、温熱を直接供給する部材であるため、可能な限り熱伝導率が高い材質を用いるのが好ましい。
【００１４】  ペルチェ素子３２は、２種類の金属の接合部に電流を流すと、片方の金属からもう片方へ熱が移動するというペルチェ効果を利用した板状の半導体素子であり、直流電流を流すと一方の面が吸熱し、反対面に発熱が起こる特性を有している。上記特性を有するペルチェ素子３２を用いて、ペルチェ素子３２に入力する直流電流のプラス／マイナスを切り替えることにより、冷温プレート３１に接触するペルチェ素子３２の特定の面を冷却面と温熱面に切り替えることが可能となる。また、ペルチェ素子３２に入力する直流電流の電圧を制御することにより、冷温プレート３１の表面温度を変更することができる。
【００１５】  また、本考案の首掛け型冷温装置１においては、首掛け部２又は冷温部３に電源装置４が内設されている。電源装置４には、一次電池、二次電池を用いることができるが、充電して連続使用が可能な二次電池を用いることが好ましい。二次電池としては、リチウムイオン電池を好適に用いることができる。そして、冷温部３は、電源装置４からペルチェ素子３２への供給電力によって、ペルチェ素子３２の冷熱効果の発現が可能となっている。これにより、冷温部３は冷熱装置として機能する。また、上記冷温プレート３１の表面温度の変更操作、即ち、電流の入力切替や電圧の変更は、電源装置４とペルチェ素子３２の間に設けられた操作部５によって行うことができる。
【００１６】  なお、ペルチェ素子３２は、片面が冷却面の場合、反対側の面は温熱面となり、片面が温熱面の場合、反対側の面は冷却面となるが、冷温部３に反対側の面の温度の影響を抑制するために、反対側の面の表面積を拡大するためのヒートシンク３３を設けるのが好ましい。また、さらに空気循環用のファン３４を設けることが好ましい。これにより、冷温部３の優れた冷熱効果を発現させることが可能となる。また、空気循環用のファン３４を設ける場合には、首掛け型冷温装置１の筐体に吸気口３５及び排気口３６を設けるのが好ましい。吸気口３５及び排気口３６を設けることにより、空気の循環を効率的に行うことができ、さらに、冷温部３の優れた冷熱効果を得ることができる。
【００１７】  また、本考案の首掛け型冷温装置１においては、吸気口３５又は排気口３６の少なくともいずれかに、フィルター３７を設けることが好ましい。フィルター３７は、吸気口３５又は排気口３６の少なくともいずれかにの内側に、吸気された空気に混ざった塵や埃、毛、服の繊維辺等を絡め取るために設けられるものであり、フィルター３７を設けることにより、適切に清浄された空気を排気口３６から排出することが可能となる。なお、フィルター３７は、ペルチェ素子３２に対して空気を循環作用させることができる吸気量及び排気量を阻害しない通気性を有するものであれば特に限定されることはない。
【００１８】  上記構成の首掛け型冷温装置１によれば、冷温部３の冷温プレート３１に首周り、特に頸部に密着又は近傍にくるように配設することにより、夏場は所望の清涼感を得ることができ、冬場は所望の温感を得ることが可能となる。
【００１９】  以上、本考案の実施形態について説明したが、本考案の適用は上記実施形態に限定されるものではなく、本考案の効果を阻害ない範囲において構成の変更が可能である。
【００２０】  例えば、上記実施形態の冷温部３においては、冷温プレート３１の内側にペルチェ素子３２を内設しているが、冷温プレート３１を用いず、ペルチェ素子３２の片面を直接露出するように構成することもできる。
【００２１】  また、上記実施形態の首掛け型冷温装置１では、冷温部３の冷温プレート３１を前側部２２に設けているが、後側部２１に設けたり、前側部２２から後側部２１に亘って一体に設けることもできる。これにより、首周り全体に対して冷熱効果を提供することができる。
【００２２】  さらに、空気循環用のファン３４を設ける場合に吸気口３５及び排気口３６に配設するフィルター３７は、塵や埃、毛、服の繊維辺等を除去可能なフィルター３７として説明したが、抗菌、抗ウイルス効果を有するフィルター３７を用いることもできる。また、フィルター３７に香料を染み込ませることにより、排気に微香を付加させることも可能となる。
【符号の説明】
【００２３】１  首掛け型冷温装置
２  首掛け部
２１  後側部
２２  前側部
２３  角度調節部
３  冷温部
３１  冷温プレート
３２  ペルチェ素子
３３  ヒートシンク
３４  ファン
３５  吸気口
３６  排気口
３７  フィルター
４  電源装置
５  操作部
【図１】
0003232773.tif 000003
【図２】
0003232773.tif 000004
【図３】
0003232773.tif 000005
【手続補正書】
【提出日】令和3年3月22日(2021.3.22)
【手続補正１】
【補正対象書類名】実用新案登録請求の範囲
【補正対象項目名】全文
【補正方法】変更
【補正の内容】
【実用新案登録請求の範囲】
【請求項１】
首に掛ける首掛け部と、該首掛け部の両端部に冷温部を有する首掛け型冷温装置であって、
前記冷温部にはペルチェ素子が内設されており、該ペルチェ素子への直流電流の入力切り替えにより、前記冷温部の冷却と温熱の切り替えが可能であることを特徴とする首掛け型冷温装置。
【請求項２】
前記冷温部に、空気循環用のファンが設けられていることを特徴とする請求項１に記載の首掛け型冷温装置。
【請求項３】
前記首掛け部又は冷温部に電源装置が内設されるとともに、操作部が設けられていることを特徴とする請求項１又は２に記載の首掛け型冷温装置。